(57)【要約】      （修正有）【課題】道熱、放熱効果を高め使用寿命を長くすることが可能な放熱モジュールの提供。【解決手段】導熱部材１と放熱体２を含めた放熱モジュールであり、該導熱部材１は縁を閉じた中空の筒体を具有し、該筒体の壁内部に真空スペースを形成し、該真空スペース内に毛細組織及び作動流体を設けている。放熱体２の穴に導熱部材１を収め、該放熱体の周辺に多数の放熱フィン２２を設け、それを介し発熱源から発した熱を放散し、低温の状態で作動し続けることで、導熱、放熱効果を高め、部品の使用寿命を延ばすことができる。【選択図】図４
0003125536.tif 000002
【実用新案登録請求の範囲】
【請求項１】
導熱部材と放熱体を含み、該導熱部材は縁を閉鎖した中空の筒体を具有し、該筒体の壁内部は真空スペースを形成し、その真空スペースには毛細組織と作動流体を設け、及び、該放熱体は穴を具有し、導熱部材を該穴の中に収め、該放熱体の周辺には多数の放熱フィンを設置することを特徴とする放熱モジュール。
【請求項２】
前記筒体は円形、円錐形、長方形、角錐或いは正多辺形のいずれかであることを特徴とする請求項1記載の放熱モジュール。
【請求項３】
前記毛細組織は焼結金属の粉末によって形成する多孔性材料、金属によって編み込まれた網、或いは二者の組合せのいずれかであることを特徴とする請求項1記載の放熱モジュール。
【請求項４】
前記外殻板及び該外殻板の内側と連結する内殻板によって筒体を構成することを特徴とする請求項1記載の放熱モジュール。
【請求項５】
前記外殻板の底部には上に延伸する複数の定置柱、内殻板の底部には下に延伸する複数の突出リングを具有し、該突出リングを定置柱に嵌め、外殻板と内殻板の底部の間に間隔空間を形成することを特徴とする請求項4記載の放熱モジュール。
【請求項６】
前記内殻板の内側表面に光の反射層を設置することを特徴とする請求項4記載の放熱モジュール。
【請求項７】
前記内殻板の底部の内側側面に複数のナットを設置することを特徴とする請求項４記載の放熱モジュール。
【請求項８】
前記放熱体はアルミの材料を直接塑性成型することを特徴とする請求項１記載の放熱モジュール。
【請求項９】
前記放熱体は多数の放熱フィンを重ね合わせて製作することを特徴とする請求項１記載の放熱モジュール。
【考案の詳細な説明】
【技術分野】
【０００１】
本考案は発熱源にて発生した熱を発熱源から遠ざかった所まで導いて排出することにより、部品が比較的低い温度の下で持続して作動することができ、導熱、放熱効果を高め、使用寿命を延ばすことができる放熱モジュールに関する。
【背景技術】
【０００２】
情報テクノロジーとコンピューター産業の発展により、ＣＰＵのチップやメモリーカードなどの電子部品から発する発熱量は多くなっている。一方、サイズが小型化しているため、発せられた熱を有効的にシステムの外に排除し、部品が適切な温度の下で作動するためには、通常は大きな面積のある放熱片や、回転速度を速めた放熱ファンを組合わせた放熱モジュールを使用し、全体の放熱効果を高める。しかし同時に騒音や重量、コスト乃至システムの複雑化などの関連問題が発生するため、前述の各考案は、電子部品の放熱を解決する最良の策ではない。
【０００３】
従来の投射灯は差込口のある光反射カバー及び差込口に差込むハロゲンライトで構成している。該ハロゲンライトの発する温度が高いため、使用寿命が短く、電気の消耗量が大きいなどの問題により、次第に発光ダイオード(LED)及び電路板に設置されている発光ユニットにとって代わられている。これらの投射灯は省エネ且つ使用寿命が長いなどのメリットはあるが、実際作動すると電路板が熱を発生するのは免れない。この問題を解決しようと、従来技術では光反射カバーに多数の放熱フィンを形成し、カバー本体の材質が持つ導熱作用及び、周囲の気体とフィンとの間の温度対流を介し、熱を排出する。しかし、このような放熱モジュールが排出できる熱の量に限りがあるため、発光ユニットが長期に渡り高温の環境で作動することにより、大幅に使用寿命が短くなる。よって、電子部品及びLED投射灯を具有する放熱モジュールを提供することが、重要な課題となっている。
【０００４】
上記の従来の放熱器の設計欠点を鑑みて、本考案では放熱装置を改良し、放熱効果を高める放熱モジュールを提供する。
【特許文献１】特開平１１−１６２４１７号公報
【特許文献２】特開２００５−３０２４８４号公報
【考案の開示】
【考案が解決しようとする課題】
【０００５】
本考案の主な目的は、発熱源にて発生した熱を発熱源から遠ざかった所までリードし、部品が比較的低い温度の下で持続して作動させることで、導熱、放熱効果を高め、使用寿命を長くする放熱モジュールを提供することにある。
【課題を解決するための手段】
【０００６】
上述の目的と効果に達するために、本考案は導熱部材及び放熱体を含み、該導熱部材は縁を閉ざした中空筒体を具有する放熱モジュールの構造を提供するものであり、該筒体の壁内部は真空スペースを形成し、真空スペースの中には毛細組織及び作動流体を設け、放熱体の周りに多数の放熱フィンと中央に穴を設け、導熱部材を該穴の中に収めることができる。
【０００７】
すなわち、請求項１の考案は、導熱部材と放熱体を含み、該導熱部材は縁を閉鎖した中空の筒体を具有し、該筒体の壁内部は真空スペースを形成し、その真空スペースには毛細組織と作動流体を設け、及び、該放熱体は穴を具有し、導熱部材を該穴の中に収め、該放熱体の周辺には多数の放熱フィンを設置することを特徴とする放熱モジュールである。
請求項2の考案は、前記筒体は円形、円錐形、長方形、角錐或いは正多辺形のいずれかであることを特徴とする請求項1記載の放熱モジュールである。
請求項3の考案は、前記毛細組織は焼結金属の粉末によって形成する多孔性材料、金属によって編み込まれた網、或いは二者の組合せのいずれかであることを特徴とする請求項1記載の放熱モジュールである。
【０００８】
請求項4の考案は、前記外殻板及び該外殻板の内側と連結する内殻板によって筒体を構成することを特徴とする請求項1記載の放熱モジュールである。
請求項5の考案は、前記外殻板の底部には上に延伸する複数の定置柱、内殻板の底部には下に延伸する複数の突出リングを具有し、該突出リングを定置柱に嵌め、外殻板と内殻板の底部の間に間隔空間を形成することを特徴とする請求項4記載の放熱モジュールである。
請求項6の考案は、前記内殻板の内側表面に光の反射層を設置することを特徴とする請求項4記載の放熱モジュールである。
請求項７の考案は、前記内殻板の底部の内側側面に複数のナットを設置することを特徴とする請求項４記載の放熱モジュールである。
請求項８の考案は、前記放熱体はアルミの材料を直接塑性成型することを特徴とする請求項１記載の放熱モジュールである。
請求項９の考案は、前記放熱体は多数の放熱フィンを重ね合わせて製作することを特徴とする請求項１記載の放熱モジュールである。
【考案の効果】
【０００９】
本考案の放熱モジュールは、真空スペースや毛細組織及び作動流体を設け、周りに多数の放熱フィンを設けた放熱体の穴に導熱部材を収めているため、発熱源の発した熱を素早く排出することで、導熱、放熱の効果を高め、部品の使用寿命を延ばすことができる。
【考案を実施するための最良の形態】
【００１０】
本考案の好適な放熱モジュールの実施例を図面に沿って説明するが、本考案の用いる技術手段及び特徴について理解してもらうため、下記の具体的な実施例と図面に基づき、本考案について詳細に説明する。添付の図面は参考と説明であり、本考案を制限するものではない。
図１、２、及び、３に示すのは、本考案の実施例の導熱部材立体分解図、組合せ略図及び組合せ断面図である。本考案は放熱モジュールであり、主に導熱部材1及び放熱体2を含む。
【００１１】
前記導熱部材1は縁が閉ざされた中空の筒体10を具有し、該筒体10は円形や円錐形 (図8に示す)、長方形、角錐形、正多辺形及び其の他のいずれかの幾何形状であり、本実施例は円形の筒体を使用し、外殻板11及び外殻板11の内側と連接する内殻板12によって構成している。外殻板11の底部に上に延伸する複数の定置柱111を設け、内殻板12の底部には下に延伸する複数の突出(凸)リング121を設けている。該突出リング121は定置柱111と嵌合し、外殻板11と内殻板12の間に間隔空間13(図3を参照)を形成している。外殻板11の内側表面及び内殻板12の外側表面に毛細組織112、122を設け、該毛細組織112、122は金属の粉を焼いて形成する多孔性材料で形成、或いは金属によって編みこまれる、或いは両者の組合せとなる。
【００１２】
本考案の実施例を制作する際、まず毛細組織112、122を焼結方法(或いは設置方法)をもってそれぞれ外殻板11と内殻板12の予定位置に固定し、内殻板12の突出リング121を外殻板11の定置柱111に嵌合する。内殻板12の上方の縁と外殻板11の内側側面の接合場所を溶接して内殻板12と外殻板11を固定する。純水などの作動流体14(図3を参照)を筒体10の間隔空間13に注入してから、該間隔空間13の空気を抜いて真空にし、縁を閉じる。以上で本考案の導熱部材1の完成である。
【００１３】
該放熱体2( 図4を参照)は、アルミ素材を直接塑性する。その中心部分には上下直径の異なる穴21を形成し、該穴21の上方は、導熱部材1の底部と連結し、放熱体2の外部の縁には多数の外に向かって放射状に延伸する放熱フィン22を設けている。
【００１４】
図4、5が示すのは、それぞれ本考案を投射灯に応用した場合の実施例の立体分解図及び使用状態断面図である。本考案の放熱モジュールは投射灯3に用いることができ、該投射灯3には発光ユニット31及び発光ユニット31に連結している差込台32(図5を参照)を具有し、内殻板12の底部内側側面に多数のナット123を設け、発光ユニット31は発光体311及び発光体311を設置する灯座312を含み、灯座312を内殻板12に連結する際に必要なネジ4を通すために、灯座312の縁にはナット123に対応する割れ目313がある。また、投射灯3の反射する光度を明るくするために、内殻板12の内側表面には光の反射層を設けることで、発光体311の照射光度が増す。また、差込台32の端には延伸管321を具有し、該延伸管321は放熱体2の下方の穴21の中に設置し、内部には変圧器、リード線などの電子部品がある。差込台32の反対端は接触端子322を具有し、外部の電源プラグに接続する。
【００１５】
使用する際は差込台32の接触端子322を外部の差込に挿し、発光ユニット31の発光体311の必要な電力を提供する。発光体311は使用時に大量の熱が発生するため、該熱を内殻板12の底面が吸収し、間隔空間13にある毛細組織112、122が加熱され、毛細組織112、122に付着している作動流体14が蒸発、作動流体14の蒸発作用を介し、熱を筒体10の壁を伝って上に移動し、周囲の壁から放熱体2に熱を伝え、更に放熱体2の放熱フィン22を使って外部に排出することで、発光ユニット31は比較的低い作動温度の元で持続的に作動することで、その使用寿命を延ばすことができる。
【００１６】
図6、7が示すのは、本考案がマイクロプロセッサーに応用した際の立体分解図と使用状態断面図である。本考案の放熱体は上述の実施例の形態のほかに、本実施例の放熱体2’も実施可能である。この放熱体2’は多数の放熱フィン22を組合わせてできたものである。該放熱フィン22の中央に穴21を形成し、穴21に導熱部材1を収めてからコンピューターマザーボードのマイクロプロセッサーに設置する。該コンピューターマザーボード内部には印刷電路板51を具有し、電路板51にはマイクロプロセッサー52など各種電子部品を固定し、固定台6を介し、本考案の放熱モジュールを電路板51に固定する。この固定台6の中央には円形の貫通孔61を設け、導熱部材1の底部と組み合わせる。固定台6の4隅には延伸アーム62があり、延伸アーム62の先端にネジを通すための円形の穴621を設け、電路板51とナットを結合する。
【００１７】
マイクロプロセッサー52の作動中には大量の熱が発生し、これらの熱を内殻板12の底面が吸収する。間隔空間13にある毛細組織112、122も加熱され、毛細組織112、122に付着している作動流体14が蒸発を行い、作動流体14の蒸発作用を介し、熱が筒体10の壁に沿って上に移動し、周辺の壁を伝って放熱体2’に熱を伝え、放熱体2’の放熱フィン22で外部に排出することで、マイクロプロセッサー52は比較的低い作動温度の下で持続して運行することができ、使用寿命を増す目的に達する。  
【００１８】
以上は本考案のベストな実施例のみであり、本考案の範囲を制限するものではない。本考案の説明書及び図面内容と同等の仕組み変化、或いは直接、或いは間接に其の他の関連技術分野を運用する場合は、本考案と均等の範囲となる。
【図面の簡単な説明】
【００１９】
【図１】本考案の導熱部材の立体分解図である。
【図２】本考案の導熱部材の組合せ略図である。
【図３】本考案の導熱部材の組合せ断面図である。
【図４】本考案を投射灯に応用した際の立体分解図である。
【図５】本考案を投射灯に応用した際の使用状態断面図である。
【図６】本考案をマイクロプロセッサーに応用した際の立体分解図である。
【図７】本考案をマイクロプロセッサーに応用した際の使用状態断面図である。
【図８】本考案のもう一つの実施例、マイクロプロセッサーに応用した際の使用状態の断面図である。
【符号の説明】
【００２０】
1         導熱部材
10        筒体
11        外殻板
111       定置柱
112,122   毛細組織
12       内殻板
121      突出（凸)リング
123      ナット
13       間隔空間
14       作動流体
2 ,2’    放熱体
21       穴
22      放熱フィン
3       投射灯
31      発光ユニット
311     発光体
312     灯座  
313     割れ目
32      差込台
321     延伸管  
322     接触端子  
4       ネジ
51      印刷電路板
52      マイクロプロセッサー
6       固定台
61      貫通孔
62      延伸アーム
621     円形穴  
【図１】
0003125536.tif 000003
【図２】
0003125536.tif 000004
【図３】
0003125536.tif 000005
【図４】
0003125536.tif 000006
【図５】
0003125536.tif 000007
【図６】
0003125536.tif 000008
【図７】
0003125536.tif 000009
【図８】
0003125536.tif 000010